(57)【特許請求の範囲】
【請求項１】
画像を表示する表示手段と、
複数のボタンを備えるリモートコントローラーであって、前記ボタンが操作されると、操作された前記ボタンを表すコードと、第１の識別子と、を含む信号を送信する前記リモートコントローラーと、
前記信号を受信する受光部と、
第２の識別子を記憶する記憶手段と、
前記信号に含まれる前記第１の識別子と、前記記憶手段に記憶されている前記第２の識別子が同じではない場合、前記信号に含まれる前記コードに応じた処理を実行せず、前記信号に含まれる前記第１の識別子と、前記記憶手段に記憶されている前記第２の識別子が同じである場合、前記信号に含まれる前記コードに応じた処理を実行する処理実行手段と、
複数の表示装置のうち前記リモートコントローラーにより操作される表示装置をユーザーに選択させる選択画像として、各表示装置と対応する領域情報に対応したそれぞれの領域に、対応する前記表示装置を識別する装置識別子がそれぞれ表示されるように前記表示手段を制御する表示制御手段と、
表示されたいずれかの前記領域を選択する操作に応じた前記信号を前記リモートコントローラーより受信した場合に、前記領域を選択し、前記領域が選択されている状態で、前記領域を決定する操作に応じた前記信号を前記リモートコントローラーより受信した場合に、前記リモートコントローラーにより操作される表示装置として前記選択画像において選択された表示装置を特定する特定手段と、
前記特定手段で自装置以外の表示装置が特定された場合、前記記憶手段に記憶されている前記第２の識別子を含み、識別子の変更を要求する指示信号を前記特定手段が特定した表示装置へ送信する送信手段と、
前記指示信号を他の表示装置から受信する受信手段と、
前記特定手段で自装置以外の表示装置が特定された場合、前記記憶手段に記憶されている前記第２の識別子を、前記第２の識別子とは異なる他の識別子に書き換え、前記受信手段が前記指示信号を受信した場合、前記記憶手段に記憶されている前記第２の識別子を当該指示信号に含まれている識別子に書き換える設定手段と
を備え、
前記複数の表示装置は、各表示装置が表示する映像により一つの映像を表示し、
前記領域情報は、前記一つの映像のうち、各表示装置がどの領域の映像を表示するかを表す情報であることを特徴とする表示装置。
【請求項２】
前記設定手段は、前記受信手段が受信した指示信号に含まれている識別子を前記記憶手段に記憶させる
請求項１に記載の表示装置。
【請求項３】
前記表示制御手段は、前記特定手段が表示装置を特定すると、前記選択画像を消去する
請求項１または２のいずれかに記載の表示装置。
【請求項４】
複数のボタンを備えるリモートコントローラーであって、前記ボタンが操作されると、操作された前記ボタンを表すコードと、第１の識別子と、を含む信号を送信する前記リモートコントローラーを備える表示装置の制御方法であって、
前記信号を受信するステップと、
前記信号に含まれる前記第１の識別子と、前記表示装置に記憶されている第２の識別子が同じではない場合、前記信号に含まれる前記コードに応じた処理を実行せず、前記信号に含まれる前記第１の識別子と、前記表示装置に記憶されている前記第２の識別子が同じである場合、前記信号に含まれる前記コードに応じた処理を実行するステップと、
複数の表示装置のうち前記リモートコントローラーにより操作される表示装置をユーザーに選択させる選択画像として、各表示装置と対応する領域情報に対応したそれぞれの領域に、対応する前記表示装置を識別する装置識別子がそれぞれ表示されるように表示手段を制御する表示制御ステップと、
表示されたいずれかの前記領域を選択する操作に応じた前記信号を前記リモートコントローラーより受信した場合に、前記領域を選択し、前記領域が選択されている状態で、前記領域を決定する操作に応じた前記信号を前記リモートコントローラーより受信した場合に、前記リモートコントローラーにより操作される表示装置として前記選択画像において選択された表示装置を特定する特定ステップと、
前記特定ステップで自装置以外の表示装置が特定された場合、記憶されている前記第２の識別子を含み、識別子の変更を要求する指示信号を前記特定ステップで特定された表示装置へ送信する送信ステップと、
前記指示信号を他の表示装置から受信する受信ステップと、
前記特定ステップで自装置以外の装置が特定された場合、記憶されている前記第２の識別子を、前記第２の識別子とは異なる他の識別子に書き換え、前記受信ステップで前記指示信号を受信した場合、記憶されている前記第２の識別子を当該指示信号に含まれている識別子に書き換える設定ステップと
を備え、
前記複数の表示装置は、各表示装置が表示する映像により一つの映像を表示し、
前記領域情報は、前記一つの映像のうち、各表示装置がどの領域の映像を表示するかを表す情報であることを特徴とする表示装置の制御方法。
【請求項５】
第１の表示装置と第２の表示装置と有する表示システムであって、
前記第１の表示装置は、
第１の画像を表示する第１の表示手段と、
複数のボタンを備えるリモートコントローラーであって、前記ボタンが操作されると、操作された前記ボタンを表すコードと、第１の識別子と、を含む信号を送信する前記リモートコントローラーと、
前記信号を受信する第１の受光部と、
第２の識別子を記憶する第１の記憶手段と、
前記信号に含まれる前記第１の識別子と、前記第１の記憶手段に記憶されている前記第２の識別子が同じではない場合、前記信号に含まれる前記コードに応じた処理を実行せず、前記信号に含まれる前記第１の識別子と、前記第１の記憶手段に記憶されている前記第２の識別子が同じである場合、前記信号に含まれる前記コードに応じた処理を実行する第１の処理実行手段と、
前記リモートコントローラーにより操作される表示装置をユーザーに選択させる選択画像として、第１の領域情報に対応した第１の領域に前記第１の表示装置を識別する第１の装置識別子が表示され、第２の領域情報に対応した第２の領域には、前記第２の表示装置を識別する第２の装置識別子が表示されるように前記第１の表示手段を制御する表示制御手段と、
表示された前記第１の領域を選択する操作に応じた前記信号を前記リモートコントローラーより受信した場合に、前記第１の領域を選択し、前記第１の領域が選択されている状態で、前記第１の領域を決定する操作に応じた前記信号を前記リモートコントローラーより受信した場合に、前記リモートコントローラーにより操作される表示装置として前記第１の表示装置を特定し、表示された前記第２の領域を選択する操作に応じた前記信号を前記リモートコントローラーより受信した場合に、前記第２の領域を選択し、前記第２の領域が選択されている状態で、前記第２の領域を決定する操作に応じた前記信号を前記リモートコントローラーより受信した場合に、前記リモートコントローラーにより操作される表示装置として前記第２の表示装置を特定する特定手段と、
前記特定手段で第２の表示装置が特定された場合、前記第１の記憶手段に記憶されている前記第２の識別子を含み、識別子の変更を要求する指示信号を前記第２の表示装置へ送信する送信手段と、
前記特定手段で前記第２の表示装置が特定された場合、前記第１の記憶手段に記憶されている前記第２の識別子を、前記第２の識別子とは異なる他の識別子に書き換える第１の設定手段と
を有し、
前記第２の表示装置は、
第２の画像を表示する第２の表示手段と、
前記信号を受信する第２の受光部と、
第３の識別子を記憶する第２の記憶手段と、
前記信号に含まれる前記第１の識別子と、前記第２の記憶手段に記憶されている前記第３の識別子が同じではない場合、前記信号に含まれる前記コードに応じた処理を実行せず、前記信号に含まれる前記第１の識別子と、前記第２の記憶手段に記憶されている前記第３の識別子が同じである場合、前記信号に含まれる前記コードに応じた処理を実行する第２の処理実行手段と、
前記指示信号を前記第１の表示装置から受信する受信手段と、
前記受信手段が前記指示信号を受信した場合、前記第２の記憶手段に記憶されている前記第３の識別子を当該指示信号に含まれている識別子に書き換える第２の設定手段と
を有し、
前記表示システムは、少なくとも前記第１の表示装置と、前記第２の表示装置と、を含む複数の表示装置の、各表示装置が表示する映像により一つの映像を表示し、
前記第１の領域情報は、前記一つの映像のうち、前記第１の表示装置がどの領域の映像を表示するかを表す情報であり、
前記第２の領域情報は、前記一つの映像のうち、前記第２の表示装置がどの領域の映像を表示するかを表す情報である
ことを特徴とする表示システム。
【発明の詳細な説明】
【技術分野】
【０００１】
本発明は、表示装置を操作する技術に関する。
【背景技術】
【０００２】
特許文献１、２には、１つのリモコンで複数のプロジェクターを操作する技術が開示されている。特許文献１に開示されている複数のプロジェクターにおいては、予め各々異なる認識番号が設定される。プロジェクターは、リモコンにおいて選択キーが操作された後、リモコンから送信された認識番号と、設定されている認識番号とが一致すると、送信される制御コマンドに応じて動作する。特許文献２に開示されている複数のプロジェクターにおいては、ユーザーにより予め各々異なる識別番号が設定される。リモコンにおいて識別番号が入力されると、入力された識別番号が全てのプロジェクターへ送信される。複数のプロジェクターにおいては、送信された識別番号が自身の識別番号と一致したプロジェクターが動作する。
【先行技術文献】
【特許文献】
【０００３】
【特許文献１】特開平８−１７２６７６号公報
【特許文献２】特開２００８−６１１６０号公報
【発明の概要】
【発明が解決しようとする課題】
【０００４】
特許文献１、２の技術では、操作を行うにあたり、番号を入力する必要がある。一台のプロジェクターを続けて操作する場合に、操作の度に番号を入力するのは手間がかかることになる。
【０００５】
本発明は、リモートコントローラーを操作するときの手間を減らし、複数の表示装置のうちの一つを操作できる技術を提供する。
【課題を解決するための手段】
【０００６】
本発明は、画像を表示する表示手段と、複数の表示装置のうちリモートコントローラーにより操作される表示装置をユーザーに選択させる選択画像を、前記表示手段に表示させる表示制御手段と、前記リモートコントローラーにより操作される表示装置として前記選択画像において選択された表示装置を特定する特定手段と、前記特定手段で自装置以外の表示装置が特定された場合、前記リモートコントローラーから送信されたコードに応じて動作するように設定を変更させる指示信号を前記特定手段が特定した表示装置へ送信する送信手段と、前記指示信号を他の表示装置から受信する受信手段と、前記特定手段で自装置以外の表示装置が特定された場合、自装置が前記リモートコントローラーから送信されたコードに応じて動作しないように自装置を設定し、前記受信手段が前記指示信号を受信した場合、自装置が前記リモートコントローラーから送信されたコードに応じて動作するように自装置を設定する設定手段とを備える表示装置を提供する。
本発明によれば、リモートコントローラーを操作するときの手間を減らし、複数の表示装置のうちの一つを操作できる。
【０００７】
本発明においては、前記コードに応じた処理を実行する処理実行手段を有し、前記設定手段は、前記特定手段で自装置以外の表示装置が特定された場合、前記コードを前記処理実行手段に供給しない設定とし、前記受信手段が前記指示信号を受信した場合、前記コードを前記処理実行手段に供給する設定とする構成としてもよい。
この構成によれば、自装置がリモートコントローラーに応じて動作する設定の場合、リモートコントローラーが送信したコードに応じた処理を実行し、自装置がリモートコントローラーに応じて動作しない設定の場合、リモートコントローラーが送信したコードに応じた処理を実行しないようにすることができる。
【０００８】
また、本発明においては、予め設定された識別子を記憶する記憶手段と、前記コードと共に前記リモートコントローラーから送信された識別子と、前記記憶手段に記憶されている識別子が同じである場合、前記コードに応じた処理を実行する処理実行手段とを有し、前記送信手段は、前記記憶手段に記憶されている識別子を前記指示信号に含め、前記設定手段は、前記特定手段で自装置以外の表示装置が特定された場合、前記記憶手段に記憶されている前記識別子を他の識別子に書き換え、前記受信手段が前記指示信号を受信した場合、前記記憶手段に記憶されている前記識別子を当該指示信号に含まれている識別子に書き換える構成としてもよい。
この構成によれば、ユーザーが手動で識別子を変更することなく、複数の表示装置のうちの一つを操作できる。
【０００９】
また、本発明においては、前記設定手段は、前記受信手段が受信した指示信号に含まれている識別子を前記記憶手段に記憶させる構成としてもよい。
この構成によれば、ユーザーが手動で識別子を変更することなく、複数の表示装置のうちの一つを操作できる。
【００１０】
また、本発明においては、複数の表示装置で表示される画像のうち、各表示装置が表示する領域を表す領域情報を有し、前記表示制御手段は、前記領域情報に対応した位置に前記表示装置を識別する装置識別子が前記選択画像として表示されるように前記表示手段を制御する構成としてもよい。
この構成によれば、操作できる表示装置を容易に選択することができる。
【００１１】
また、本発明においては、前記表示制御手段は、前記特定手段が表示装置を特定すると、前記選択画像を消去する構成としてもよい。
この構成によれば、操作が不可となって選択画像が表示されたままとなるのを防ぐことができる。
【００１２】
また、本発明は、複数の表示装置のうちリモートコントローラーにより操作される表示装置をユーザーに選択させる選択画像を、表示手段に表示させる表示制御ステップと、前記リモートコントローラーにより操作される表示装置として前記選択画像において選択された表示装置を特定する特定ステップと、前記特定ステップで自装置以外の表示装置が特定された場合、前記リモートコントローラーから送信されたコードに応じて動作するように設定を変更させる指示信号を前記特定ステップで特定された表示装置へ送信する送信ステップと、前記指示信号を他の表示装置から受信する受信ステップと、前記特定ステップで自装置以外の表示装置が特定された場合、自装置が前記リモートコントローラーから送信されたコードに応じて動作しないように自装置を設定し、前記受信ステップで前記指示信号を受信した場合、自装置が前記リモートコントローラーから送信されたコードに応じて動作するように自装置を設定する設定ステップとを備える表示装置の制御方法を提供する。
この方法によれば、リモートコントローラーを操作するときの手間を減らし、複数の表示装置のうちの一つを操作できる。
【００１３】
また、本発明は、第１の表示装置と第２の表示装置と有する表示システムであって、前記第１の表示装置は、第１の画像を表示する第１の表示手段と、リモートコントローラーにより操作される表示装置をユーザーに選択させる選択画像を、前記第１の表示手段に表示させる表示制御手段と、前記リモートコントローラーにより操作される表示装置として前記選択画像において選択された表示装置を特定する特定手段と、前記特定手段で第２の表示装置が特定された場合、前記リモートコントローラーから送信されたコードに応じて動作するように設定を変更させる指示信号を前記第２の表示装置へ送信する送信手段と、前記特定手段で前記第２の表示装置が特定された場合、前記第１の表示装置が前記リモートコントローラーから送信されたコードに応じて動作しないように前記第１の表示装置を設定する第１の設定手段とを有し、前記第２の表示装置は、第２の画像を表示する第２の表示手段と、前記指示信号を前記第１の表示装置から受信する受信手段と、前記受信手段が前記指示信号を受信した場合、前記第２の表示装置が前記リモートコントローラーから送信されたコードに応じて動作するように前記第２の表示装置を設定する第２の設定手段とを有することを特徴とする表示システムを提供する。この表示システムによれば、リモートコントローラーを操作するときの手間を減らし、複数の表示装置のうちの一つを操作できる。
【図面の簡単な説明】
【００１４】
【図１】本発明の一実施形態の表示システム１に係る装置を示した図。
【図２】プロジェクター１０Ａ〜１０Ｄのハードウェア構成を示した図。
【図３】制御部１１０で実現する機能の構成を示した機能ブロック図。
【図４】実施形態の動作例を説明するためのシーケンス図。
【図５】プロジェクター１０Ａが投写する画面の一例を示した図。
【図６】プロジェクター１０Ａが投写する画面の一例を示した図。
【発明を実施するための形態】
【００１５】
［実施形態］
図１は、本発明の一実施形態に係る表示システム１に含まれる装置を示した図である。プロジェクター１０Ａ〜１０Ｄは、外部装置から供給された映像信号が表す画像や、外部装置から取得した画像データが表す画像をスクリーンや壁面へ投写する表示装置の一例である。プロジェクター１０Ａ〜１０Ｄの構成は、それぞれ同じであるため、以下、プロジェクター１０Ａ〜１０Ｄの各々を区別する必要がない場合は、プロジェクター１０と称する。プロジェクター１０Ａ〜１０Ｄは、通信ネットワークや無線通信、有線通信により接続されており、ユーザーの操作に応じて互いに通信を行う。また、プロジェクター１０Ａ〜１０Ｄは、プロジェクター１０Ａ〜１０Ｄが投写する映像により一つの映像が表示されるように設置されている。本実施形態においては、投写する一つの映像を２行２列の領域に分割し、分割された１行１列目（左上）の領域の映像信号をプロジェクター１０Ａに供給し、１行２列目（右上）の領域の映像信号をプロジェクター１０Ｂに供給し、２行１列目（左下）の領域の映像信号をプロジェクター１０Ｃに供給し、２行２列目（右下）の領域の映像信号をプロジェクター１０Ｄに供給することにより、映像の全体が表示される。
【００１６】
リモートコントローラー２０は、赤外光の信号によりプロジェクター１０を操作するコントローラーであり、複数のボタンを備えている。リモートコントローラー２０は、ボタンが操作されると、操作されたボタンを表すコードと予め設定された識別子を含む信号を送信する。
【００１７】
（プロジェクター１０Ａ〜１０Ｄの構成）
図２は、プロジェクター１０Ａ〜１０Ｄのハードウェア構成を示した図である。本実施形態においては、プロジェクター１０Ａ〜１０Ｄの基本的なハードウェア構成は同じである。以下、プロジェクター１０Ａ〜１０Ｄの各部を区別する必要がある場合、説明の便宜上、プロジェクター１０Ａの各部の符号の末尾には「Ａ」を付し、プロジェクター１０Ｂの各部の符号の末尾には「Ｂ」を付して説明を行う。また、プロジェクター１０Ｃの各部の符号の末尾には「Ｃ」を付し、プロジェクター１０Ｄの各部の符号の末尾には「Ｄ」を付して説明を行い、各部を区別する必要がない場合、符号の末尾への「Ａ」、「Ｂ」、「Ｃ」、「Ｄ」の付加を省略して説明を行う。
【００１８】
プロジェクター１０は、制御部１１０、記憶部１２０、操作部１３０、投写部１４０を備える。また、プロジェクター１０は、映像処理部１５０、映像インターフェース１６０、受光部１７０、通信部１８０を備える。
【００１９】
制御部１１０は、ＣＰＵ（Central Processing Unit）、ＲＯＭ（Read Only Memory）及びＲＡＭ（Random Access Memory）を備えたマイクロコンピューターである。プロジェクター１０においては、ＲＯＭに記憶されているプログラムをＣＰＵが実行すると、制御部１１０が各部を制御し、画像を投写する機能や外部装置と通信を行う機能などが実現する。
【００２０】
記憶部１２０は、投写する画像の画質に係る設定や、各種機能の設定に係る情報、予めユーザーにより設定された識別子を記憶する。記憶部１２０は、識別子を記憶する記憶手段の一例である。また、記憶部１２０は、プロジェクター１０Ａ〜１０Ｄで投写する映像のうち、分割されたどの領域の映像を投写するかを表す領域情報を記憶している。例えば、本実施形態においては、プロジェクター１０Ａは、１行１列目の映像を投写するため、記憶部１２０Ａは、領域情報として「（１，１）」という情報を記憶する。また、記憶部１２０Ｂは、領域情報として「（１，２）」という情報を記憶し、記憶部１２０Ｃは、領域情報として「（２，１）」という情報を記憶し、記憶部１２０Ｄは、領域情報として「（２，２）」という情報を記憶する。また、記憶部１２０は、協働して映像全体を表示する他のプロジェクター１０のＩＰアドレスを記憶する。例えば、プロジェクター１０Ａは、プロジェクター１０Ｂ〜１０Ｄのそれぞれに割り当てられたＩＰアドレスを記憶する。
【００２１】
操作部１３０は、プロジェクター１０を操作するための複数のボタンを備えている。操作されたボタンに応じて制御部１１０が各部を制御することにより、投写される画像の調整や、プロジェクター１０が有する各種機能の設定などが行われる。受光部１７０は、リモートコントローラー２０が発する赤外光の信号を受光し、受光した信号を表す電気信号を制御部１１０へ供給する。制御部１１０は、受光部１７０から供給される信号に応じて各部を制御する。
【００２２】
通信部１８０は、有線通信の通信インターフェースや、ＩＥＥＥ８０２．１１の規格に従った無線通信の通信インターフェース、Ｂｌｕｅｔｏｏｔｈ（登録商標）の通信インターフェース、ＵＳＢ（Universal Serial Bus）の通信インターフェースなどを有し、各種インターフェースによって他のコンピューター装置や他のプロジェクター１０と通信を行う。通信部１８０は、他のプロジェクター１０と接続して通信を行う通信手段の一例である。
【００２３】
映像インターフェース１６０は、映像信号を取得する映像信号取得手段の一例である。ＲＣＡ、Ｄ−Ｓｕｂ、ＨＤＭＩ（登録商標）などのコネクターを有し、外部装置からコネクターに供給された映像信号を映像処理部１５０へ供給する。映像処理部１５０は、映像インターフェース１６０から供給される映像信号を取得する。また、映像処理部１５０は、プロジェクター１０を操作するためのＧＵＩ（Graphical User Interface）やメニューなどのオンスクリーン画像の信号を制御部１１０から取得する。映像処理部１５０は、各種の画像処理機能を備えており、映像インターフェース１６０から供給された映像信号に画像処理を施し、投写する画像の画質を調整する。映像処理部１５０は、画質を調整した映像信号を投写部１４０へ供給する。また、映像処理部１５０は、制御部１１０からオンスクリーン画像の信号が供給された場合には、オンスクリーン画像の信号を重畳した映像信号を投写部１４０へ供給する。
【００２４】
画像を投写する投写部１４０は、光源１４１、ライトバルブ１４２、駆動回路１４４及び投写光学系１４３を有している。投写部１４０と映像処理部１５０は、画像を表示する表示手段として機能する。光源１４１は、光を発するランプであり、光源１４１が発した光は、図示省略した複数のダイクロイックミラーやミラーによって赤、緑、青の光に分光され、分光された赤、緑、青のそれぞれの光はライトバルブ１４２に導かれる。なお、光源１４１は、ランプではなく、発光ダイオード又はレーザー光を発する半導体レーザー装置であってもよい。
【００２５】
駆動回路１４４は、映像処理部１５０から供給される映像信号を取得する。駆動回路１４４に供給される映像信号は、投写する画像における赤の成分の階調を表す階調データ、投写する画像における緑の成分の階調を表す階調データ及び投写する画像における青の成分の階調を表す階調データを有する。駆動回路１４４は、赤、緑、青の各色の階調データを抽出し、抽出した各色の階調データに基づいてライトバルブ１４２を駆動する。
【００２６】
ライトバルブ１４２は、前述の赤の光が入射する液晶ライトバルブ、前述の緑の光が入射する液晶ライトバルブ、及び前述の青の光が入射する液晶ライトバルブを有している。液晶ライトバルブは、透過型の液晶パネルであり、複数行複数列でマトリクス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動回路１４４によって各画素が制御されて画素の透過率が変化する。画素の透過率が制御されることにより、液晶ライトバルブを透過した各色の光は、各階調データに対応した画像となる。液晶ライトバルブを透過した赤、緑、青の光の画像は、図示省略したダイクロイックプリズムにより合成されて投写光学系１４３に入射する。投写光学系１４３は、入射した画像を拡大する光学系であり、入射した画像をレンズやミラーによって拡大して投写する。
【００２７】
図３は、ＲＯＭのプログラムを実行することにより制御部１１０で実現する機能の構成を示した機能ブロック図である。表示制御部１００１は、投写部１４０と映像処理部１５０を制御して画像を表示する表示制御手段の一例である。表示制御部１００１は、プロジェクター１０Ａ〜１０Ｄのうち、リモートコントローラー２０により操作されるプロジェクターをユーザーに選択させる画像が表示されるように投写部１４０と映像処理部１５０を制御する。特定部１００２は、リモートコントローラー２０により操作されるプロジェクターをユーザーに選択させる画像において、リモートコントローラー２０により操作されるプロジェクターとして選択されたプロジェクター１０を特定する。送信部１００３は、特定部１００２で自身以外のプロジェクター１０が特定された場合、リモートコントローラー２０から送信されたコードに応じて動作するように設定を変更させる指示信号を特定部１００２が特定したプロジェクター１０へ送信する。受信部１００４は、リモートコントローラー２０から送信されたコードに応じて動作するように設定を変更させる指示信号を他のプロジェクター１０から受信する。設定部１００５は、特定部１００２で自身以外のプロジェクター１０が特定された場合、自身がリモートコントローラー２０から送信されたコードに応じて動作しないように自身を設定し、受信部１００４が指示信号を受信した場合、自身がリモートコントローラー２０から送信されたコードに応じて動作するように自身を設定する。処理実行部１００６は、設定部１００５が行った設定に応じて、受光部１７０から供給された信号に含まれているコードに応じた処理を実行する。
【００２８】
（実施形態の動作例）
次に本実施形態の動作例について説明する。なお、以下の説明においては、リモートコントローラー２０において設定された識別子を「１」、プロジェクター１０Ａで設定された識別子が「１」、プロジェクター１０Ｂ〜１０Ｄで設定された識別子が「２」である場合を想定して動作例の説明を行う。
【００２９】
リモートコントローラー２０においてボタンが操作されると、リモートコントローラー２０は、設定されている識別子の「１」と、操作されたボタンに対応したコードを含む赤外光の信号を送信する。リモートコントローラー２０が送信した赤外光の信号は、受光部１７０Ａ〜受光部１７０Ｄで受光される。受光部１７０Ａは、受光した赤外光を電気信号に変換し、識別子の「１」と、操作されたボタンに対応したコードを表す電気信号を制御部１１０Ａへ供給する。また、受光部１７０Ｂは、識別子の「１」と、操作されたボタンに対応したコードを表す電気信号を制御部１１０Ｂへ供給し、受光部１７０Ｃは、識別子の「１」と、操作されたボタンに対応したコードを表す電気信号を制御部１１０Ｃへ供給し、受光部１７０Ｄは、識別子の「１」と、操作されたボタンに対応したコードを表す電気信号を制御部１１０Ｄへ供給する。
【００３０】
制御部１１０は、受光部１７０から信号が供給されると、供給された信号に含まれる識別子と、記憶部１２０に記憶されている識別子とが同じであるか判断する。記憶部１２０Ｂ、記憶部１２０Ｃ及び記憶部１２０Ｄに記憶されている識別子は「２」であるため、制御部１１０Ｂ、制御部１１０Ｃ及び制御部１１０Ｄは、供給された電気信号に含まれる識別子と、記憶部１２０に記憶されている識別子とが同じではないと判断する。制御部１１０Ｂ、制御部１１０Ｃ及び制御部１１０Ｄは、供給された電気信号に含まれる識別子と、記憶部１２０に記憶されている識別子とが同じではない場合、供給された電気信号に含まれているコードに対応した処理を行わない。
【００３１】
一方、記憶部１２０Ａに識別子として「１」が記憶されており、供給された電気信号に含まれる識別子は「１」であるため、制御部１１０Ａは、供給された電気信号に含まれる識別子と、記憶部１２０に記憶されている識別子とが同じであると判断する。制御部１１０Ａは、供給された電気信号に含まれる識別子と、記憶部１２０に記憶されている識別子とが同じである場合、供給された電気信号に含まれているコードに対応した処理を行う。例えば、ユーザーがリモートコントローラー２０において、投写される映像の画質を調整する操作を行うと、リモートコントローラー２０が送信する識別子である「１」を記憶部１２０に記憶しているプロジェクター１０Ａの画質がユーザーの操作に応じて調整される。
【００３２】
次に、リモートコントローラー２０で操作されるプロジェクター１０を変更するときの動作例について、図４のシーケンス図を用いて説明する。まず、ユーザーが、リモートコントローラー２０で操作されるプロジェクター１０を変更するメニュー画面の表示を指示する操作をリモートコントローラー２０で行うと、行われた操作に応じてリモートコントローラー２０から赤外光の信号がプロジェクター１０Ａ〜１０Ｄへ送信される（ステップＳ１）。この信号を受光部１７０Ａが受光すると、制御部１１０Ａは、識別子及び領域情を要求するメッセージを、記憶部１２０Ａに記憶されているＩＰアドレスを参照し、協働して映像全体を投写する他のプロジェクター１０Ｂ〜１０Ｄへ送信する（ステップＳ２）。
【００３３】
このメッセージをプロジェクター１０Ｂ〜１０Ｄの通信部１８０が受信すると、制御部１１０Ｂは、記憶部１２０Ｂに記憶されている識別子「２」及び領域情報「（１，２）」を、通信部１８０Ｂを制御してプロジェクター１０Ａへ送信し（ステップＳ３）、制御部１１０Ｃは、記憶部１２０Ｃに記憶されている識別子「２」及び領域情報「（２，１）」を、通信部１８０Ｃを制御してプロジェクター１０Ａへ送信し（ステップＳ４）、制御部１１０Ｄは、記憶部１２０Ｄに記憶されている識別子「２」及び領域情報「（２，２）」を、通信部１８０Ｄを制御してプロジェクター１０Ａへ送信する（ステップＳ５）。
【００３４】
プロジェクター１０Ｂ〜１０Ｄから送信された識別子及び領域情報を通信部１８０Ａが受信すると、制御部１１０Ａは、記憶部１２０Ａに記憶されている識別子及びＩＰアドレスと、受信した識別子及びＩＰアドレスを、受信した領域情報に基づいて並べて表示する（ステップＳ６）。
【００３５】
図５は、ここでプロジェクター１０Ａが投写する画面（選択画像）の一例である。記憶部１２０Ａが記憶している領域情報は「（１，１）」であり、１行１列目を表すため、記憶部１２０Ａに記憶されている識別子「１」とＩＰアドレスは、１行１列目（左上）の領域に表示される。また、プロジェクター１０ＢのＩＰアドレス、プロジェクター１０Ｂから受信した領域情報「（１，２）」及び識別子「２」は、１行２列目（右上）の領域に表示され、プロジェクター１０ＣのＩＰアドレス、プロジェクター１０Ｃから受信した領域情報「（２，１）」及び識別子「２」は、２行１列目（左下）の領域に表示され、プロジェクター１０ＤのＩＰアドレス、プロジェクター１０Ｄから受信した領域情報「（２，２）」及び識別子「２」は、２行２列目（右下）の領域に表示される。
【００３６】
次にユーザーがリモートコントローラー２０において、図５に表示されたいずれかの領域を選択する操作を行うと、行われた操作に応じてリモートコントローラー２０から赤外光の信号が送信される（ステップＳ７）。この信号を受光部１７０Ａが受光すると、制御部１１０Ａは、例えば図６に示したように、選択された領域を反転表示した画面が投写されるように各部を制御する（ステップＳ８）。
【００３７】
図６に示したように１行２列目の領域が選択されている状態で、ユーザーが領域を決定する操作をリモートコントローラー２０において行うと、行われた操作に応じてリモートコントローラー２０から赤外光の信号が送信される（ステップＳ９）。この信号を受光部１７０Ａが受光すると、制御部１１０Ａは、記憶部１２０Ａに記憶されている識別子「１」を含み、識別子の変更を要求するメッセージ（指示信号）を、反転表示していた領域に表示されていたＩＰアドレスのプロジェクター１０Ｂへ送信する（ステップＳ１０）。また、制御部１１０Ａは、記憶部１２０Ａに記憶されている識別子「１」を、反転表示していた領域に表示されていた識別子「２」で上書きする（ステップＳ１１）。また、表示していた図６の画面を消去する（ステップＳ１２）。
【００３８】
識別子の変更を要求するメッセージを通信部１８０Ｂが受信すると、制御部１１０Ｂは、記憶部１２０Ｂに記憶されている識別子を、受信したメッセージに含まれている識別子「１」で上書きする（ステップＳ１３）。以上の動作により、プロジェクター１０Ａに記憶されていた識別子とプロジェクター１０Ｂに記憶されていた識別子が入れ替わり、プロジェクター１０Ａに記憶されている識別子は「２」となり、プロジェクター１０Ｂに記憶されている識別子は「１」となる。
【００３９】
プロジェクター１０Ａに記憶されていた識別子とプロジェクター１０Ｂに記憶されていた識別子が入れ替わった後、ユーザーがリモートコントローラー２０を操作すると、記憶部１２０Ａには識別子として「２」が記憶されおり、リモートコントローラー２０が送信する識別子「１」とは異なる識別子が記憶されているため、制御部１１０Ａは、受光部１７０Ａから供給された信号に含まれているコードに対応した処理を行わない。一方、記憶部１２０Ｂには識別子として「１」が記憶されおり、リモートコントローラー２０が送信する識別子「１」と同じ識別子が記憶されているため、制御部１１０Ｂは、受光部１７０Ｂから供給された信号に含まれているコードに対応した処理を行う。
【００４０】
以上説明したように本実施形態によれば、操作あたり識別番号を操作の度に入力しなくても、複数のプロジェクター１０のうちの一つを操作することができる。また、複数台のプロジェクター１０を一つのリモートコントローラー２０で操作する際に、操作対象となるプロジェクター１０を、投写する画面において容易に設定することができる。
【００４１】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００４２】
上述した動作例においては、一つのプロジェクター１０が記憶する識別子がリモートコントローラー２０の識別子と同じであり、他のプロジェクター１０が記憶する識別子は、それぞれ同じ識別子となっていたが、この構成に限定されるものではない。例えば、記憶部１２０Ａに記憶されている識別子が「１」、記憶部１２０Ｂに記憶されている識別子が「２」、記憶部１２０Ｃに記憶されている識別子が「３」、記憶部１２０Ｄに記憶されている識別子が「４」というように、リモートコントローラー２０の識別子と同じ識別子を記憶しないプロジェクター１０においては、記憶する識別子を各々異なるものとしてもよい。
【００４３】
本発明においては、プロジェクター１０Ａ〜１０Ｄのそれぞれが、リモートコントローラー２０が送信する識別子と同じ識別子を記憶する構成としてもよい。この構成の場合、リモートコントローラー２０からの信号を受け付けるか否かを表す設定情報を記憶部１２０が記憶する。例えば、プロジェクター１０Ａがリモートコントローラー２０からの信号を受け付け、プロジェクター１０Ｂ〜１０Ｄはリモートコントローラー２０からの信号を受け付けないようにする場合、記憶部１２０Ａにおいては設定情報として「ｏｎ」を記憶させ、記憶部１２０Ｂ、記憶部１２０Ｃ及び記憶部１２０Ｄにおいては、設定情報として「ｏｆｆ」を記憶させる。
そして、制御部１１０は、受光部１７０からリモートコントローラー２０の識別子と、操作されたボタンに対応したコードを表す電気信号が供給されると、記憶部１２０に記憶されている設定情報に応じて動作する。制御部１１０は、記憶部１２０に記憶されている設定情報が「ｏｎ」である場合、供給された電気信号に含まれているコードに対応した処理を行う。また、記憶部１２０に記憶されている設定情報が「ｏｆｆ」である場合、供給された電気信号に含まれているコードに対応した処理を行わない。
【００４４】
つまり、上述したように記憶部１２０Ａに記憶されている設定情報が「ｏｎ」であり、記憶部１２０Ｂ、記憶部１２０Ｃ及び記憶部１２０Ｄに記憶されている設定情報が「ｏｆｆ」である場合、プロジェクター１０Ａがリモートコントローラー２０で行われた操作に応じて動作し、プロジェクター１０Ｂ〜１０Ｄは、リモートコントローラー２０でなされた操作に応じた動作を行わない。
【００４５】
また、本変形例において、リモートコントローラー２０で操作されるプロジェクター１０を変更する画面の表示を指示する操作が行われた場合、プロジェクター１０Ａは、他のプロジェクター１０Ｂ〜１０Ｄから設定情報を取得し、図５の画面において、識別子に替えて設定情報を表示する。
リモートコントローラー２０で操作されるプロジェクター１０を変更する画面が表示された後、ユーザーがリモートコントローラー２０において、表示された画面のいずれかの領域を選択し、領域を決定する操作を行うと、制御部１１０Ａは、反転表示していた領域に表示されていたＩＰアドレスのプロジェクター１０へ、設定情報を「ｏｎ」にするように指示するメッセージを送信する。また、制御部１１０Ａは、記憶部１２０Ａに記憶されている設定情報を「ｏｆｆ」に書き換える。この後、プロジェクター１０Ａは、リモートコントローラー２０からの信号を受信しても動作しない。一方、設定情報を「ｏｎ」に書き換えたプロジェクター１０は、リモートコントローラー２０からの信号を受信すると、受信した信号に応じて動作する。
【００４６】
上述した実施形態においては、４台のプロジェクター１０で映像全体を投写する構成となっているが、映像全体を投写するプロジェクター１０の数は、複数であれば、４台以外の構成であってもよい。また、上述した実施形態においては、４台のプロジェクター１０がそれぞれ映像全体を分割して投写する構成となっているが、４台のプロジェクター１０の各々が同じ映像全体を投写する構成であってもよい。
【符号の説明】
【００４７】
１０、１０Ａ〜１０Ｄ…プロジェクター、２０…リモートコントローラー、１１０…制御部、１２０…記憶部、１３０…操作部、１４０…投写部、１４１…光源、１４２…ライトバルブ、１４３…投写光学系、１４４…駆動回路、１５０…映像処理部、１６０…映像インターフェース、１７０…受光部、１８０…通信部、１００１…表示制御部、１００２…特定部、１００３…送信部、１００４…受信部、１００５…設定部、１００６…処理実行部。
【図１】
0006657680.tif 000002
【図２】
0006657680.tif 000003
【図３】
0006657680.tif 000004
【図４】
0006657680.tif 000005
【図５】
0006657680.tif 000006
【図６】
0006657680.tif 000007